(57)【要約】【課題】電装品箱に取り付けたコンデンサケースに遮水対応を施した空気調和機の室外機を提供する。【解決手段】吸込口２０と吹出口１３を結ぶ送風路２３に電装品箱４を配置した空気調和機の室外機１において、電装品箱４の背面の一部に開口部４０１ｂを設け、開口部の背面側には内部にコンデンサ５２が固定され開口部側にフランジ４９を有するコンデンサケース４７と、フランジと開口部の間に挟み込まれるシール部材６１と、開口部の上端を折り曲げたコンデンサケース側に延出する樋４０１ｃを設け、フランジが樋の内部に収まるように、開口部とコンデンサケースを固定することで、コンデンサに水滴が当たることを防ぐものである。【選択図】図１１
2014070791.tif 000002
【特許請求の範囲】
【請求項１】
吸込口に沿って設けられた熱交換器と、吹出口に向かって配置された送風ファンと、前記吸込口と前記吹出口を結ぶ送風路と、電装品箱とを備え、前記電装品箱の背面を前記送風路に配置した空気調和機の室外機において、
前記電装品箱は、背面の一部に開口部を設け、前記開口部の背面側には、内部にコンデンサが固定された箱体であるコンデンサケースを備え、前記コンデンサケースは、前記開口部側の周囲にフランジを備えたコンデンサケース出口を設け、前記コンデンサケース出口の横幅は、固定された前記コンデンサの全体の横幅よりも大きく形成され、且つ前記開口部と同一形状でなり、前記開口部の上端には、前記コンデンサケースに向かって延出しさらに先端が上方へ折れ曲がり長さが前記コンデンサ全体の横幅より大きい樋を形成し、前記開口部と前記フランジとの間にシール部材を挟み込み、前記フランジが前記樋の内側に収まるように形成したことを特徴とする空気調和機の室外機。
【発明の詳細な説明】
【技術分野】
【０００１】
本発明は、空気調和機の室外機の電装品箱に取り付ける部品の遮水構造に関する。
【背景技術】
【０００２】
先行例１として、ビルや商業施設などに設置される大型の空気調和機の室外機は、筺体の前面側の上部に電装品箱を配置し、ベース上に三方を囲む熱交換器と熱交換器の上部中央で筺体の天井側に吹出口を備え、吹出口の内部に送風ファンを備えたファンモータと、熱交換器に囲まれた内部に圧縮機、アキュムレータを含む室外側冷媒回路を構成する部品が配置されている。
電装品箱には、圧縮機やモータなどを制御するための各種電子部品が実装された制御基板およびコンデンサ、トランスやリレースイッチ等の電装部品が収納されている。（例えば、特許文献１参照）
【０００３】
昨今は、コストダウンのため、従来の２４台程度の室内機を接続する室外機と、７０台程度の室内機を接続可能とする室外機を共通の室外機の筺体で構成できるようにすることが求められている。
接続する室内機が多くなると、圧縮機の出力が大きくなり流れる電流も大きくなる。そこで大電流を制御する専用の電装部品の増設が必要とされるが、専用の電装部品を収納するために、室外機筺体内部の空いているスペースを利用して電装品箱を一部張り出させて対応する必要がある。
【０００４】
しかし、室外機は屋外に設置され吹出口が天井に設けられていることで、室外機筺体内部には吹出口から雨水が浸入する。また熱交換器が熱交換する際に発生する凝縮水の影響もある。これらの水滴が電装品箱に侵入した場合は電装部品の故障を引き起こす原因となるため十分な遮水対応が必要である。
【先行技術文献】
【特許文献】
【０００５】
【特許文献１】特開２０１０−１２１８５７号公報
【発明の概要】
【発明が解決しようとする課題】
【０００６】
本発明は、上述した課題を解決するため、空気調和機の室外機筺体内部に配置された電装品箱に取り付けた電装部品に、充分な遮水対応を施した空気調和機の室外機を提供する。
【課題を解決するための手段】
【０００７】
上述した目的を達成するため、本発明は、吸込口に沿って設けられた熱交換器と、吹出口に向かって配置された送風ファンと、前記吸込口と前記吹出口を結ぶ送風路と、電装品箱とを備え、前記電装品箱の背面を前記送風路に配置した空気調和機の室外機において、
前記電装品箱は、背面の一部に開口部を設け、前記開口部の背面側には、内部にコンデンサが固定された箱体であるコンデンサケースを備え、前記コンデンサケースは、前記開口部側の周囲にフランジを備えたコンデンサケース出口を設け、前記コンデンサケース出口の横幅は、固定された前記コンデンサの全体の横幅よりも大きく形成され、且つ前記開口部と同一形状でなり、前記開口部の上端には、前記コンデンサケースに向かって延出しさらに先端が上方へ折れ曲がり長さが前記コンデンサ全体の横幅より大きい樋を形成し、前記開口部と前記フランジとの間にシール部材を挟み込み、前記フランジが前記樋の内側に収まるように形成したことを特徴とする。
【発明の効果】
【０００８】
本発明によれば、吸込口と吹出口を結ぶ送風路に電装品箱を配置した空気調和機の室外機において、電装品箱の背面の一部に開口部を設け、開口部の背面側には、内部にコンデンサが固定され開口部側にフランジを有するコンデンサケースと、フランジと開口部の間に挟み込まれるシール部材と、開口部の上端を折り曲げたコンデンサケース側に延出する樋を設け、フランジが樋の内部に収まるように、開口部とコンデンサケースを固定することで、コンデンサに水滴が当たることを防ぐものである。
【図面の簡単な説明】
【０００９】
【図１】本発明による空気調和機の室外機を示す図であり（ａ）は外観斜視図で、（ｂ）は室外機の送風ファンを中心にして見た断面図である。
【図２】上記室外機の前面パネルを外した状態の要部斜視図である。
【図３】上記室外機の電装品箱の内部を示す斜視図である。
【図４】上記電装品箱を回動させた状態を示す図である。
【図５】上記電装品箱のコンデンサケースを中心にして見た断面図である。
【図６】図３の電装品箱から電装部品と導風板を外した状態を示す図であり（ａ）は前面側からみた斜視図で、（ｂ）は背面側から見た斜視図である。
【図７】上記コンデンサケースを前面側からみた斜視図である。
【図８】上記コンデンサケースの分解図である。
【図９】図６（ａ）のＹ部を拡大し正面から見た図である。
【図１０】図６（ｂ）のＺ部を拡大し上記コンデンサケースを外した状態を示す図である。
【図１１】図５のＸ部を拡大した図である。
【発明を実施するための形態】
【００１０】
以下、本発明の実施の形態を、添付図面に基づいた実施例として詳細に説明する。なお、本実施例は一実施例にすぎないもので、本発明の実施形態は本発明に限定されるものではない。
【実施例１】
【００１１】
本発明による空気調和機の室外機１は、ビルや商業施設などに設置され、７０台程度の室内機を冷媒配管を介して接続するビル用マルチタイプの空気調和機に用いられるものである。図１と図２に示すように、室外機１は、側面から空気を吸い込んで冷媒と熱交換した後に天面から吹き出すタイプであり、筐体１０と、筐体１０の内部に収納された室外側冷媒回路３とを備えている。
【００１２】
＜室外機筐体＞
筐体１０は、大型で縦長な略直方体形状であり、ベース１１と、ベース１１の四方の角部または角部付近にそれぞれ配置され上端から下端まで鉛直に延びる支柱１２ａ〜１２ｄと、支柱１２ａ〜１２ｄの上端に固定される吹出口１３を備えた天板１４と、前面側の支柱１２ａと支柱１２ｄの間を連結する連結板１５と、各支柱１２ａ〜１２ｄの上端を接続する４枚の連結パネル１６からなる。ベース１１の下面には、筐体１０を設置場所に固定するための基礎脚１１ａが据え付けられている。これらは、鋼板材をプレス加工して形成される。
支柱１２ａと支柱１２ｄの間には前面側を覆う前面パネル１７が取り付けられている。前面パネル１７は、連結パネル１６の下側に配置される上部前面パネル１７０と、上部前面パネル１７０の下側に配置される下部前面パネル１７１とからなり、それぞれ支柱１２ａと支柱１２ｄにネジで着脱自在に取り付けられ、図２に示すように設置時やメンテナンス時には取り外すことができる。
【００１３】
尚、以下、図１において前面パネル１７のある側を前面とし、前面から見て支柱１２ａ、１２ｂのある側を左側面とし、支柱１２ｃ、１２ｄのある側を右側面とし、支柱１２ｂ、支柱１２ｃのある側を背面として説明する。
【００１４】
天板１４の中央が開口された吹出口１３はファンガード１８で覆われている。吹出口１３の内部には吹出口１３を囲った筒状のベルマウス２４が設けられ、ベルマウス２４内に送風ファン１９が吹出口１３に向かって配置されている。送風ファン１９は連結パネル１６に固定されたモータ支持台２５に据付けられたファンモータ２６により回転駆動される。また、支柱１２ａと支柱１２ｂ、支柱１２ｂと支柱１２ｃ、支柱１２ａと支柱１２ｄの間はそれぞれ開口された吸込口２０が形成されている。
【００１５】
図２に示すように、設置時やメンテナンス時に前面パネル１７を取り外すと、筺体１０の内部には、室外側冷媒回路３と、電装品箱４と、連結板１５が現れる。
【００１６】
＜室外側冷媒回路＞
室外側冷媒回路３は、熱交換器３１、圧縮機３２、圧縮機用アキュムレータ３３、オイルタンク（図示なし）、レシーバータンク（図示なし）、アキュムレータ３４と、操作弁３５などの機器およびこれらの機器を接続する冷媒配管３６等とからなる。
熱交換器３１は、ベース１１上に背面と左右側面の三方の吸込口２０に沿って設けられる。
圧縮機３２と圧縮機用アキュムレータ３３は、筺体１０内の前面側中央に配置され、圧縮機３２と圧縮機用アキュムレータ３３の周囲は鋼板材を折り曲げ加工して形成した圧縮機室３７で囲まれている。
【００１７】
上記の構成により、吸込口２０と吹出口１３を結ぶ送風路２３が形成され、送風ファン１９の回転により筺体１０の三方の吸込口２０から吸い込まれた空気は、送風路２３を通り、熱交換器３１で冷媒と熱交換した後に、筐体１０のベルマウス２４と送風ファン１９で上部に導かれ吹出口１３から吹き出される。
【００１８】
＜電装品箱＞
電装品箱４は、前面側は前面パネル１７の裏面で、背面側が送風路２３に配置され、送風路２３を通過する空気にさらされるようになっており、図２に示すように、鋼板材を折り曲げ加工して形成した前面が開口された箱体状の電装品箱本体４０と、電装品箱本体４０の開口を塞ぐように取り付けられる電装品箱蓋４１とからなる。電装品箱本体４０の左側面には作業者が持つための把手４２を備える。
【００１９】
電装品箱４は、電装品箱本体４０の右側面上端が連結パネル１６に、右側面下端が連結板１５に片持ちヒンジ２１、２２によってそれぞれ回動可能に軸支されており、図４に示すように開き戸のように開閉するようになっている。これにより、筺体１０内で電装品箱４の奥側に配置されている室外側冷媒回路３の各機器がメンテナンス可能となる。
【００２０】
＜電装品箱本体＞
電装品箱本体４０は、図３に示すように、背面と左側面と右側面とからなる背面板４０１と、四辺から下方にフランジがある箱型で背面板４０１に被さる上面板４０２と、背面板４０１の左側面と右側面の内側に背面板４０１を補強するために固着される側面板４０３、４０４とからなる。側面板４０３、４０４の前端は内側に向かいほぼ直角に折り曲げられ、その折り曲げられた部分に電装品箱蓋４１がネジ止め固定される。
【００２１】
背面板４０１は内面に基板取付台４６を備える。基板取付台４６には、電装部品５が配置されている。電装部品５には、基板取付台４６の中央で室外側冷媒回路３や接続された室内機を制御するための各種電子部品が実装されたメイン制御基板５０やトランス５６、メイン制御基板５０に商用電源から供給されるＡＣ電源を供給する第２端子台５７および右側上方のインバータ基板５４、スイッチング素子５８等がある。
従来の２４台程度までの室内機を接続する室外機ではスイッチング素子はインバータ基板５４の中に搭載されていたが、７０台程度までの室内機を接続する本発明の室外機１では、圧縮機３２の出力が大きくなり圧縮機３２に流れる電流が大きくなる。そのため大電流をスイッチングするスイッチング素子も大きくなりインバータ基板５４に搭載できなくなる。そこでインバータ基板５４の下に別途スイッチング素子５８が設けられている。
【００２２】
背面板４０１の下端には、図３乃至図５に示すようにＬ字状に折り曲げられた係止部４０１ａが形成され、係止部４０１ａの前方に導風板４３が固定される。
導風板４３は、係止部４０１ａからほぼ垂直に立設される吸気部４３２を有し、吸気部４３２に電装品箱４内に空気を取り込むための吸気口４４が形成されている。吸気口４４は、吸気部４３２の延在方向（図３では左右方向）に沿って所定間隔で多数設けられている。吸気部４３２の天面は後述するガイド部４３３となる。また、導風板４３には、吸気部４３２の下端が下方に延出した面に複数のケーブル取入孔４３１が設けられている。
【００２３】
＜電装品箱蓋＞
電装品箱蓋４１は、図５に示すように電装品箱本体４０の正面開口を塞ぐ大きさの板状に形成されている。電装品箱蓋４１の下端側は、Ｌ字状に折り曲げられた折曲部４１１が形成されており、折曲部４１１に沿ってシール部材６０が一体的に貼り着けられている。
シール部材６０は、例えばポリエチレンやポリスチレンなどの合成樹脂製の断面四角形の棒状をしており、折曲部４１１の内面に沿って両面粘着テープまたは接着剤を介して貼り付けられている。
【００２４】
これによれば、シール部材６０が吸気部４３２の外側面に沿って当接することにより、電装品箱４の下面開口を確実に塞ぐことができるばかりでなく、電装品箱４がモータ振動などによってビビリ音を発生することを防止できる。さらには、吸気部４３２とシール部材６０との間から引き出されるケーブル７にシール部材６０が密着するため、ケーブル７の隙間を塞いで虫などの侵入をより確実に塞ぐことができる。
【００２５】
電装品箱４内の空気を排気する排気口４５は、上面板４０２と電装品箱蓋４１の間に形成された隙間を利用して電装品箱４内の空気を排気している。
【００２６】
７０台程度までの室内機を接続する本発明の室外機１は、圧縮機３２に流れる大電流をスイッチングするためインバータ基板５４の下に別途スイッチング素子５８が設けられているが、スイッチング素子５８はケーブル７を直接接続できる端子がないため圧縮機３２との間を中継する専用の第１端子台５３の増設が必要となる。
そこでスイッチング素子５８を配置するスペースと第１端子台５３の増設場所を確保するために、電装品箱本体４０内では大型の電子部品であるコンデンサ５２を電装品箱本体４０内から電装品箱本体４０の背面側に配置する。
【００２７】
＜コンデンサケース＞
電装品箱本体４０は、図４乃至図６に示すように、インバータ基板５４の背面に搭載されたパワーモジュールとスイッチング素子５８等の発熱部品を冷却するヒートシンク５１と、背面板４０１の一部に開口部４０１ｂを設け、開口部４０１ｂの背面側には、箱体状のコンデンサケース４７を備える。
コンデンサケース４７の位置は図１と図４に示すように圧縮機室３７の上方で、圧縮機室３７や室外側冷媒回路から引き出される冷媒配管３６よりも前方にあたり、周囲には圧縮機３２や操作弁３５やファンモータと電装品箱４内の電装部品５を接続するケーブル７が納まっているだけで、スペース的にコンデンサケース４７を設けても他の部品に影響を与えることはなく、コンデンサケース４７を設けることで電装品箱４が従来と共通の筺体でも電装品箱に搭載する電装部品５（スイッチング素子５８と第１端子台５３）の増設に対応することができる。
しかし、送風路２３内で外気の通過があり、天井に吹出口１３があることで雨水が浸入する可能性がある場所で、また熱交換器３１から発生する凝縮水の影響も受けるため充分な遮水対応が必要とされる。
【００２８】
コンデンサ５２は、図７に示すように、円柱形であり一端面にコンデンサ端子５２１を備え、他端面側をバンド５２２でコンデンサ取付台４７４に２個横並びで固定される。
【００２９】
コンデンサケース４７は、図７乃至図９に示すように、背面４７１ａと左側面４７１ｂと右側面４７１ｃと、左側面４７１ｂから前面に折れ曲がったフランジ４９ａと、右側面４７１ｃから前面に折れ曲がったフランジ４９ｂとからなるコンデンサケース背面板４７１と、四辺から下方にフランジ４９ｃがある箱型でコンデンサケース背面板４７１に被さるコンデンサケース上面板４７２と、四辺から上方にフランジ４９ｄがある箱型で前面側のフランジ４９ｄだけがコンデンサケース背面板４７１のフランジ４９ａ・４９ｂの前面に被さるコンデンサケース底面板４７３とを組み合わせて形成される。
コンデンサケース４７の前面側（電装品箱側）はフランジ４９ａ・４９ｂ・４９ｃ４９ｄで周囲を囲まれたコンデンサケース出口４７５を設ける。
【００３０】
コンデンサケース出口４７５の開口の横幅ｗ１、縦の高さｈ１は、図９に示すように、コンデンサケース４７内に固定された２個のコンデンサ５２を合わせた全体の横幅ｗ２、縦の高さｈ２よりもそれぞれ大きく形成され、且つ、開口部４０１ｂと略同一のサイズ、形状に形成されている。
【００３１】
コンデンサ取付台４７４は図８に示すようにコンデンサ５２を止めるネジがコンデンサケース背面板４７１を突き抜けないようにコンデンサケース背面板４７１から距離を開けるため両側を折り曲げて台状に形成される。
【００３２】
コンデンサケース４７を取り付ける背面板４０１の開口部４０１ｂの上端には、図１０に示すように、開口部４０１ｂの鋼板の一部を折り曲げて背面側（コンデンサケース側）に向かって延出し、さらに先端が上方へ折れ曲がる樋４０１ｃを形成する。樋４０１ｃの横幅の長さは開口部４０１ｂよりも若干小さいだけでコンデンサケース４７に固定されたコンデンサ５２全体の横幅よりも大きくなっている。
【００３３】
コンデンサケース４７の組立は、図７と図８に示すようにコンデンサ取付台４７４をコンデンサケース背面板４７１の背面４７１ａにスポット溶接した後、コンデンサケース背面板４７１にコンデンサケース上面板４７２と、コンデンサケース底面板４７３を溶接する。
次に、コンデンサケース４７のコンデンサ取付台４７４にコンデンサ５２をネジで固定する。
コンデンサケース４７の奥行きは、図１１に示すようにコンデンサ端子５２１が開口部４０１ｂよりも前面寄りに位置するようにコンデンサ５２の奥行きとコンデンサ取付台４７４の奥行きに合わせて形成する。
次に、コンデンサケース４７のフランジ４９ａ・４９ｂ・４９ｃ・４９ｄのそれぞれの面にシール部材６１を貼りつけ、フランジ４９ｃが樋４０１ｃの内側に収まり、コンデンサケース出口４７５と開口部４０１ｂが合うように位置を合わせ、開口部と４０１ｂとフランジ４９ａ・４９ｂ・４９ｃ・４９ｄの間にシール部材６１を挟み込み、コンデンサケース４７を背面板４０１にネジで締めつける。ネジで締めつけたことでコンデンサケース４７のフランジ４９ａ・４９ｂ・４９ｃ・４９ｄとシール部材６１と開口部４０１ｂの密着性が増す。
【００３４】
上記の構成としたことで、図１０と図１１に示すようにコンデンサケース４７と背面板４０１の接合部に雨水や凝縮水の水滴が浸水しても、まずはコンデンサケース４７と背面板４０１間のシール部材６１により遮水される。仮に水滴がシール部材６１を通過しても樋４０１ｃに落ちる。樋４０１ｃに落ちた水滴は、樋４０１ｃの左右端４０１ｃ１・４０１ｃ２から滴り、コンデンサケース底面板４７３に落ちる。コンデンサケース底面板４７３に落ちた水滴は、コンデンサ５２から発する熱により蒸発する。樋４０１ｃの横幅は開口部４０１ｂよりも若干小さいだけでコンデンサ５２よりも大きくなっているため樋４０１ｃに落ちた水滴が直接コンデンサ５２に当たることは無い。
また、豪雨により大量の雨水が浸水してコンデンサケース底面板４７３に溜まり水滴の蒸発が間に合わなかった場合でも、水滴はフランジ４９ｄの上端でコンデンサ出口４７５から電装品箱本体４０内に流れ出るため、直接コンデンサ５２に当たることは無い。
【００３５】
＜端子台支持台＞
コンデンサケース４７の対面で開口部４０１ｂの前面側には、図３と図５と図６に示すように、コンデンサ５２のコンデンサ端子５２１の絶縁に必要な空間を設けてコンデンサ端子５２１を囲うように板金を折り曲げ加工した端子台支持台４８が固定されている。
端子台支持台４８は、前面に第１端子台５３を備え、前面よりも一段下がった面にコネクタ５５１で固定された電流センサ５５を備える。
また、端子台支持台４８は、前面側から基板取付台４６に向かい脚部４８１を備え、基板取付台４６に固定される。脚部４８１の底面には吸気口４４に対応する位置に複数箇所の切欠が設けられている。この切欠が空気の入口用の通風口４８２となる。
尚、端子台支持台４８の天面側には脚部４８１はなく、通風口４８２から流れた空気の出口用の通風口４８３となるとともに、トランス５６やインバータ基板５４とコンデンサ５２のコンデンサ端子５２１とを繋ぐケーブル７の経路ともなる。
【００３６】
第１端子台５３は、スイッチング素子５８と圧縮機３２の間を中継し圧縮機３２を駆動するモータに三相電源を供給する端子台である。
図３と図４に示すように、スイッチング素子５８から引き出されたケーブル７が電流センサ５５を介して第１端子台５３の上部に接続され、第１端子台５３の下部に接続されたケーブル７はケーブル取入孔４３１を通り圧縮機３２のモータへ接続される。
【００３７】
＜通風経路＞
次に、電装品箱４内の放熱について説明する。図５に示すように、導風板４３には、吸気口４４から吸い込まれた空気Ｓをメイン制御基板５０の裏面側や端子台取付台４８の通風口４８２へと導くガイド部４３３が設けられている。ガイド部４３３は、吸気口４４の軸線の延長線上に、その一部が張り出すように形成されており、吸気口４４から入った空気Ｓがガイド部４３３に衝突することで、降雨時などに空気に含まれるミスト状の水を分離することができるばかりでなく、空気の流速を一定にすることができる。
導風板４３とガイド部４３３を通り抜けた空気Ｓは、一部が端子台支持台４８の脚部４８１の通風口４８２に流れ込む。
【００３８】
空気Ｓは開口部４０１ｂとコンデンサケース出口４７５からコンデンサケース４７内へ流れ込む。コンデンサケース４７は上下左右に広い空間Ｗを有する。コンデンサケース４７内へ流れ込んだ空気Ｓは空間Ｗ内を巡り、コンデンサ５２から放熱された熱を冷却する。温められた空気はコンデンサケース出口４７５と開口部４０１ｂから抜け、通風口４８３から電装品箱４内に出る。空気Ｓは、電装品箱４の中の熱を吸収しながら電装品箱４の中を上に上昇してゆき、最後に電装品箱４の前面上部に形成される排気口４５から箱外に排気される。
これによれば、空気の自然な対流によって冷たい空気Ｓが電装品箱４の下部から吸気されコンデンサケース４７内も巡り、電装品類によって温められた空気が上昇して電装品箱４の上部から排気されるため、冷却効率がよい。
【００３９】
また、電装品箱４で場所を占めるコンデンサ５２を電装品箱４の背面側に取付け、その手前に第１端子台５３を設けられたことで、従来の２４台程度の室内機を接続する低能力機種の室外機と、７０台程度の室内機を接続可能とする高能力機種の室外機を共通の室外機の筺体で補える室外機となる。
尚、接続する室内機の台数を、２４台や７０台としたのは一例であり、これと異なる台数でもよい。
【符号の説明】
【００４０】
１：室外機、１０：筺体、１３：吹出口、１５：連結板、１６：連結パネル、１７：前面パネル、１９：送風ファン、２０：吸込口、２３：送風路
３：室外側冷媒回路、３１：熱交換器、３２：圧縮機
４：電装品箱、４０：電装品箱本体、４０１：背面板、４０１ｂ：開口部、４０１ｃ：樋、４１：電装品箱蓋、４３：導風板、４４：吸気口、４５：排気口、４７：コンデンサケース、４７１：コンデンサケース背面板、４７４：コンデンサ取付台、４７５：コンデンサケース出口、４９：フランジ
５：電装部品、５２：コンデンサ、５２１：コンデンサ端子、５３：第１端子台、５４：インバーター基板、５５：電流センサ
６０・６１：シール部材
【図１】
2014070791.tif 000003
【図２】
2014070791.tif 000004
【図３】
2014070791.tif 000005
【図４】
2014070791.tif 000006
【図５】
2014070791.tif 000007
【図６】
2014070791.tif 000008
【図７】
2014070791.tif 000009
【図８】
2014070791.tif 000010
【図９】
2014070791.tif 000011
【図１０】
2014070791.tif 000012
【図１１】
2014070791.tif 000013